(57)【要約】【課題】個人情報を印字している領域を塗抹し、個人情報を視認不可能として個人情報の漏洩を防止可能としたＲＦＩＤ用紙の印字装置およびその個人情報隠蔽方法を提供すること。【解決手段】個人情報を印字した領域をインキローラーなどにより塗りつぶすことに着目したもので、ＲＦＩＤインレット１４に管理情報の少なくとも一部を書込み情報として書き込むとともに、書き込んだ書込み情報をＲＦＩＤインレット１４からの読取り情報として読み取り可能であるリーダーライター７と、管理情報の個人情報を含む少なくとも一部をＲＦＩＤ用紙２の表面に印字する印字部８と、ＲＦＩＤインレット１４への管理情報の書込み処理あるいは読取り処理が良好か否かを判断する制御部１０と、ＲＦＩＤ用紙２に印字された個人情報について、制御部１０による判断に応じて視認不可能に塗抹する個人情報印字塗抹部９と、有することを特徴とする。【選択図】図１
2010231558.tif 000002
【特許請求の範囲】
【請求項１】
個人情報を含む管理情報を印字可能であるとともに、無線によるデータ交信が可能なＲＦＩＤインレットを有するＲＦＩＤ用紙の印字装置であって、
前記ＲＦＩＤインレットに前記管理情報の少なくとも一部を書込み情報として書き込むとともに、この書き込んだ書込み情報を前記ＲＦＩＤインレットからの読取り情報として読み取り可能であるリーダーライターと、
前記管理情報の前記個人情報を含む少なくとも一部を前記ＲＦＩＤ用紙の表面に印字する印字部と、
前記ＲＦＩＤインレットへの前記管理情報の書込み処理あるいは読取り処理が良好か否かを判断する制御部と、
前記ＲＦＩＤ用紙に印字された前記個人情報について、この制御部による判断に応じて視認不可能に塗抹する個人情報印字塗抹部と、
有することを特徴とするＲＦＩＤ用紙の印字装置。
【請求項２】
前記制御部は、前記管理情報の前記ＲＦＩＤインレットへの前記書込み情報および前記読取り情報が互いに一致するか否かの確認を行うことを特徴とする請求項１記載のＲＦＩＤ用紙の印字装置。
【請求項３】
前記制御部は、前記ＲＦＩＤ用紙において前記個人情報が印字される領域を特定し、この領域に対応する前記個人情報印字塗抹部を駆動するように制御することを特徴とする請求項１記載のＲＦＩＤ用紙の印字装置。
【請求項４】
前記個人情報印字塗抹部は、前記ＲＦＩＤ用紙の印字レイアウトに応じて、前記個人情報を塗抹するようにインキを塗布可能なインキローラーを有することを特徴とする請求項１記載のＲＦＩＤ用紙の印字装置。
【請求項５】
個人情報を含む管理情報を印字可能であるとともに、無線によるデータ交信が可能なＲＦＩＤインレットを有するＲＦＩＤ用紙の個人情報隠蔽方法であって、
リーダーライターにより、前記ＲＦＩＤインレットに前記管理情報の少なくとも一部を書込み情報として書き込むとともに、この書き込んだ書込み情報を前記ＲＦＩＤインレットからの読取り情報として読み取るとともに、
印字部により、前記管理情報の前記個人情報を含む少なくとも一部を前記ＲＦＩＤ用紙の表面に印字し、
制御部により、前記ＲＦＩＤインレットへの前記管理情報の書込み処理あるいは読取り処理が良好か否かを判断するととともに、
前記ＲＦＩＤ用紙に印字された前記個人情報について、この制御部による判断に応じて個人情報印字塗抹部により視認不可能に塗抹することを特徴とするＲＦＩＤ用紙の個人情報隠蔽方法。
【請求項６】
前記制御部は、前記ＲＦＩＤインレットへの前記書込み情報および前記読取り情報が互いに不一致であるとともに、前記ＲＦＩＤ用紙に前記個人情報が印字されていないときには、前記ＲＦＩＤ用紙の表面に前記ＲＦＩＤ用紙が不良であることを明示する印字を行うように前記印字部を制御することを特徴とする請求項５記載のＲＦＩＤ用紙の個人情報隠蔽方法。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ）用紙の印字装置およびその個人情報隠蔽方法にかかるもので、とくに無線によりデータの書込みおよび読取りが可能で配送用伝票などに利用されるＲＦＩＤ用紙の印字装置およびその個人情報隠蔽方法に関するものである。
【背景技術】
【０００２】
従来から、ＩＣチップおよびアンテナを有して無線によりデータの書込みおよび読取りを行うことができるＲＦＩＤ用紙をラベルあるいはタグなどの形態として配送用伝票など諸々の分野に利用しているが、ＩＣチップやアンテナの不具合などによりＲＦＩＤ用紙へのデータの読書きにエラーが生じた場合、ＲＦＩＤ用紙の表面に斜線その他の記号を印字して、このＲＦＩＤ用紙が使用不可能であることを利用者に通知するような構成を有する印字装置（図示せず）がある。
しかしながら、ＲＦＩＤ用紙に住所や名称など各種の個人情報が印字されるような場合には、斜線などを印刷するだけでは、個人情報が消されずに残ってしまう可能性があるという問題がある。
【０００３】
また、ＲＦＩＤ用紙を印字装置に装填してＲＦＩＤ用紙を移送し、ＲＦＩＤ用紙へのデータ書込み位置で一時的にＲＦＩＤ用紙の移送を停止して、ＲＦＩＤ用紙に各種の管理情報のデータを書き込む。
このデータ書込み後に、ＲＦＩＤ用紙から書き込んだ内容を読み出し、書込み内容と読取り内容とが一致している場合には、ＲＦＩＤ用紙が適正ないし良好であるとして、さらにＲＦＩＤ用紙を移送してその表面に所定の管理情報を印字し、たとえば配送用伝票などとして発行していた。
すなわち、ＲＦＩＤ用紙に所定の内容を書き込んだのちに、その表面への印字を行っていたが、近年、データ書込みおよび読取り処理と印字発行とを同時に行ってその作業効率を向上させる工夫が行われている（たとえば特許文献１）。
【０００４】
しかしながら、ＲＦＩＤ用紙不良のため、印字発行後にＲＦＩＤ用紙に書き込んだ内容を読み取ることができない場合があり、データ書込みおよび読取り処理と印字発行とを同時に行った場合には、上記管理情報中の個人情報がすでに印字されてしまっていることになる。
ＲＦＩＤ用紙が不良であると、これを廃棄することになるが、たとえば配送用伝票などに個人情報が印字されている場合には、不用意に捨てると個人情報を流出につながりかねないという問題がある。
【先行技術文献】
【特許文献】
【０００５】
【特許文献１】特開２０００−６５５０号公報
【発明の概要】
【発明が解決しようとする課題】
【０００６】
本発明は以上のような諸問題にかんがみなされたもので、個人情報の漏洩を防止可能なＲＦＩＤ用紙の印字装置およびその個人情報隠蔽方法を提供することを課題とする。
【０００７】
また本発明は、個人情報を印字している領域を塗抹して、個人情報を視認不可能とするＲＦＩＤ用紙の印字装置およびその個人情報隠蔽方法を提供することを課題とする。
【０００８】
また本発明は、データの書込みおよび読取りと印字発行とを同時に行うような場合であっても、印字速度を低下することなく個人情報を的確に塗抹可能としたＲＦＩＤ用紙の印字装置およびその個人情報隠蔽方法を提供することを課題とする。
【課題を解決するための手段】
【０００９】
すなわち本発明は、個人情報を印字した領域をインキローラーなどにより塗りつぶすことに着目したもので、第一の発明は、個人情報を含む管理情報を印字可能であるとともに、無線によるデータ交信が可能なＲＦＩＤインレットを有するＲＦＩＤ用紙の印字装置であって、上記ＲＦＩＤインレットに上記管理情報の少なくとも一部を書込み情報として書き込むとともに、この書き込んだ書込み情報を上記ＲＦＩＤインレットからの読取り情報として読み取り可能であるリーダーライターと、上記管理情報の上記個人情報を含む少なくとも一部を上記ＲＦＩＤ用紙の表面に印字する印字部と、上記ＲＦＩＤインレットへの上記管理情報の書込み処理あるいは読取り処理が良好か否かを判断する制御部と、上記ＲＦＩＤ用紙に印字された上記個人情報について、この制御部による判断に応じて視認不可能に塗抹する個人情報印字塗抹部と、有することを特徴とするＲＦＩＤ用紙の印字装置である。
【００１０】
第二の発明は、個人情報を含む管理情報を印字可能であるとともに、無線によるデータ交信が可能なＲＦＩＤインレットを有するＲＦＩＤ用紙の個人情報隠蔽方法であって、リーダーライターにより、上記ＲＦＩＤインレットに上記管理情報の少なくとも一部を書込み情報として書き込むとともに、この書き込んだ書込み情報を上記ＲＦＩＤインレットからの読取り情報として読み取るとともに、印字部により、上記管理情報の上記個人情報を含む少なくとも一部を上記ＲＦＩＤ用紙の表面に印字し、制御部により、上記ＲＦＩＤインレットへの上記管理情報の書込み処理あるいは読取り処理が良好か否かを判断するととともに、上記ＲＦＩＤ用紙に印字された上記個人情報について、この制御部による判断に応じて個人情報印字塗抹部により視認不可能に塗抹することを特徴とするＲＦＩＤ用紙の個人情報隠蔽方法である。
【００１１】
上記制御部は、上記管理情報の上記ＲＦＩＤインレットへの上記書込み情報および上記読取り情報が互いに一致するか否かの確認を行うことができる。
【００１２】
上記個人情報印字塗抹部は、上記ＲＦＩＤ用紙の印字レイアウトに応じて、上記個人情報を塗抹するようにインキを塗布可能なインキローラーを有することができる。
【００１３】
上記制御部は、上記ＲＦＩＤインレットへの上記書込み情報および上記読取り情報が互いに不一致であるとともに、上記ＲＦＩＤ用紙に上記個人情報が印字されていないときには、上記ＲＦＩＤ用紙の表面に上記ＲＦＩＤ用紙が不良であることを明示する印字を行うように上記印字部を制御することができる。
【発明の効果】
【００１４】
本発明によるＲＦＩＤ用紙の印字装置およびその個人情報隠蔽方法においては、ＲＦＩＤインレットへの管理情報の書込み処理あるいは読取り処理が良好か否かを判断するとともに、ＲＦＩＤ用紙に印字された個人情報について、この判断に応じて視認不可能に塗抹する個人情報印字塗抹部を設けたので、個人情報を確実に保護することができる。
【００１５】
とくに第一の発明のＲＦＩＤ用紙の印字装置によれば、リーダーライターによるデータの書込み処理および読取り処理の適否を判断して、個人情報印字塗抹部により個人情報を塗りつぶすようにしたので、個人情報を的確に保護することができる。
【００１６】
とくに第二の発明のＲＦＩＤ用紙の個人情報隠蔽方法によれば、データの書込み処理および読取り処理の適否を判断した上で、個人情報印字塗抹部により個人情報を塗りつぶすようにしたので、印字速度を低下することなくＲＦＩＤ用紙の不良を明示するとともに、個人情報を的確に隠蔽することができる。
【図面の簡単な説明】
【００１７】
【図１】本発明の実施例によるＲＦＩＤ用紙の印字装置１の概略側面図である。
【図２】同、個人情報印字塗抹部９をＲＦＩＤ用紙２の排出側（下流側）から上流側を見た説明図である。
【図３】同、管理情報としての、たとえば配送先データベースの一例を示す説明図である。
【図４】同、管理情報としての、たとえば差出人データベースの一例を示す説明図である。
【図５】同、配送先データベース（図３）および差出人データベース（図４）の情報にもとづいて、ＲＦＩＤ用紙２上に印字した例を示す平面図である。
【図６】同、差出人印字欄３１を塗抹用のインキローラー２５により塗抹し個人情報欄３１Ａを隠蔽している状態を示すＲＦＩＤ用紙２の平面図である。
【図７】同、ＲＦＩＤインレット１４が不良であって個人情報の印字がない場合のＲＦＩＤ用紙２（特記欄３３、表面全体）への印字の例を示す平面図である。
【図８】同、ＲＦＩＤ用紙２の印字装置１における制御のフローチャート図である。
【発明を実施するための形態】
【００１８】
本発明は、ＲＦＩＤ用紙へのデータの書込み処理および読取り処理の適否を判断して、個人情報印字塗抹部により個人情報の表示部分を塗りつぶすようにしたので、的確な個人情報保護を行うことができるＲＦＩＤ用紙の印字装置およびその個人情報隠蔽方法を実現した。
【実施例】
【００１９】
つぎに本発明の実施例によるＲＦＩＤ用紙の印字装置１およびその個人情報隠蔽方法を図１ないし図８にもとづき説明する。
図１は、ＲＦＩＤ用紙の印字装置１の概略側面図であって、ＲＦＩＤ用紙の印字装置１は、ＲＦＩＤ用紙２の供給部３と、移送路４と、ガイドローラー５と、位置検出用センサー６と、リーダーライター７（ＲＦＩＤモジュール）と、印字部８と、個人情報印字塗抹部９と、制御部１０と、を有する。
【００２０】
ＲＦＩＤ用紙２は、たとえばラベル用紙としてこれを作成可能であって、図１にその一部を拡大して示すように、ラベル基材１１と、粘着剤層１２と、台紙１３と、ＲＦＩＤインレット１４と、を有するとともに、ラベル基材１１に個人情報を含む各種の管理情報を印字可能である。
ＲＦＩＤインレット１４は、基材フィルム１５と、ＩＣチップ１６と、アンテナ１７と、を有し、リーダーライター７との間で無線によるデータ交信が可能である。
【００２１】
供給部３は、ＲＦＩＤ用紙２をロール状に保持しているとともに、移送路４にＲＦＩＤ用紙２を帯状に繰り出し可能とする。
【００２２】
位置検出用センサー６は、上記台紙１３の裏面にあらかじめ印刷した位置検出用マーク１８を検出して、ＲＦＩＤ用紙２のリーダーライター７、印字部８および個人情報印字塗抹部９に対する相対的位置を検出可能とする。
【００２３】
リーダーライター７は、ＲＦＩＤインレット１４との間でデータ交信を可能とするもので、ＲＦＩＤインレット１４に管理情報の少なくとも一部を書込み情報として書き込むとともに、この書き込んだ書込み情報をＲＦＩＤインレット１４からの読取り情報として読み取り可能である。
【００２４】
印字部８は、サーマルヘッド１９と、プラテンローラー２０と、熱転写リボン２１の供給軸２２および巻取り軸２３と、を有し、所定の管理情報のうち個人情報を含む少なくとも一部を表示に必要なデータとしてＲＦＩＤ用紙２の表面に印字する。
【００２５】
個人情報印字塗抹部９は、ＲＦＩＤ用紙２に印字された個人情報について、ＲＦＩＤ用紙２の印字レイアウトに応じて、個人情報を塗抹するようにインキを塗布可能である。
すなわち、図２は、個人情報印字塗抹部９をＲＦＩＤ用紙２の排出側（下流側）から上流側を見た説明図であって、個人情報印字塗抹部９は、ＲＦＩＤ用紙２がその上を通過するベースローラー２４と、ＲＦＩＤ用紙２の表面に対向している任意の本数の（図示の例では一対の）塗抹用のインキローラー２５と、この塗抹用のインキローラー２５をプリンターハウジング２６に取り付けている引っ張りスプリング２７と、塗抹用のインキローラー２５をベースローラー２４（ＲＦＩＤ用紙２）方向に付勢可能なシリンダー２８と、を有する。
引っ張りスプリング２７は、塗抹用のインキローラー２５をベースローラー２４から常時離反する方向に付勢するもので、シリンダー２８がこの付勢力に抗して塗抹用のインキローラー２５を、ＲＦＩＤ用紙２の所定領域（個人情報を印字している領域）に押し付け可能とする。なお、シリンダー２８の代わりに、ソレノイドを用いることもできる。
【００２６】
制御部１０は、位置検出用センサー６、リーダーライター７、印字部８および個人情報印字塗抹部９をそれぞれ必要なタイミングで制御するとともに、ＲＦＩＤインレット１４への管理情報の書込み処理あるいは読取り処理が良好か否かを判断するものであって、この制御部１０による判断に応じて個人情報印字塗抹部９における塗抹用のインキローラー２５がＲＦＩＤ用紙２上の個人情報を視認不可能に塗抹する。
すなわち、制御部１０は、管理情報のＲＦＩＤインレット１４への書込み情報および読取り情報が互いに一致するか否かの確認を行うとともに、ＲＦＩＤ用紙２において個人情報が印字される領域（たとえば、差出人印字欄３１ないしその個人情報欄３１Ａ、図５にもとづき後述）を特定し、この領域に対応する個人情報印字塗抹部９を駆動するように制御する。
【００２７】
図３は、管理情報としての、たとえば配送先データベースの一例を示す説明図、図４は、同管理情報としての、たとえば差出人データベースの一例を示す説明図である。
これら配送先データベースおよび差出人データベースは、これを制御部１０に記憶させておいてもよいし、中央のホストコンピューター（図示せず）に保存して、制御部１０との間でデータ交信可能としてもよい。
図３および図４に示すように、配送先データベースおよび差出人データベースには、個人情報として、たとえば担当者名が記憶され、これがＲＦＩＤ用紙２上に印字される場合がある。
なお、配送先データベースおよび差出人データベース中には、個人情報があるか否かのフラグを記憶するフラグ欄２９を設けており、フラグ「０」は個人情報なし、フラグ「１」は個人情報ありとして制御部１０による判別を可能としている。
【００２８】
図５は、図３および図４に示した配送先データベースおよび差出人データベースの情報にもとづいて、ＲＦＩＤ用紙２上に印字した例を示す平面図であって、ＲＦＩＤ用紙２には印字レイアウトとして、たとえば、配送先印字欄３０、差出人印字欄３１、内容印字欄３２、および特記欄３３などの領域が設定されており、特記欄３３の下流側に位置して前記ＲＦＩＤインレット１４が設けられている。
さらに、差出人印字欄３１の一部に個人情報欄３１Ａが設けられている。
【００２９】
図６は、差出人印字欄３１を塗抹用のインキローラー２５により塗抹して個人情報欄３１Ａを隠蔽している状態を示すＲＦＩＤ用紙２の平面図、図７は、ＲＦＩＤインレット１４が不良であって個人情報の印字がない場合に、特記欄３３にＲＦＩＤインレット１４の不良を印字するか（図中、実線）、あるいはＲＦＩＤ用紙２の表面全体にＲＦＩＤインレット１４の不良を明示するように印字するか（図中、仮想線）の例を示す平面図である。
【００３０】
こうした構成のＲＦＩＤ用紙の印字装置１において、ＲＦＩＤ用紙２の表面への管理情報の印字、ならびにＲＦＩＤインレット１４への管理情報の書込み処理および読取り処理、さらに個人情報の隠蔽方法について、以下説明する。
図８は、ＲＦＩＤ用紙の印字装置１における制御のフローチャート図であって、ステップＳ１において、印字指令があるか否かを判断し、印字指令があれば、制御部１０は、印字部８を駆動してＲＦＩＤ用紙２の移送を開始し、リーダーライター７を動作させ、ステップＳ２においてＲＦＩＤインレット１４に管理情報の少なくとも一部のデータを書込み情報として書き込むとともに、ステップＳ３においてＲＦＩＤインレット１４からデータを読取り情報として読み取る。また、この操作と同時に、ステップＳ４において印字部８により管理情報の個人情報を含む少なくとも一部をＲＦＩＤ用紙２に印字する（図５の例を参照）。
【００３１】
ついでステップＳ５において、ステップＳ２における書込み情報およびステップＳ３における読取り情報が互いに一致したか否か（書込み処理および読取り処理が行えるか否かも含む）を判断し、一致していればＲＦＩＤ用紙２（ＲＦＩＤインレット１４）に問題はないとしてつぎの処理に移行する。
ステップＳ５において書込み情報および読取り情報が互いに一致していなければ、ＲＦＩＤインレット１４が不良であると判断して、ステップＳ６において、個人情報があるか否かを判断する。
差出人印字欄３１に個人情報欄３１Ａがあれば、制御部１０は、ＲＦＩＤ用紙２の全領域における差出人印字欄３１（個人情報欄３１Ａ）の領域を特定し、ステップＳ７で、個人情報印字塗抹部９における塗抹用のインキローラー２５（図５に例示した印字レイアウトの場合には、図２中右側の塗抹用のインキローラー２５）をシリンダー２８がＲＦＩＤ用紙２（ベースローラー２４）方向に押し出して差出人印字欄３１に所定パターンのインキを塗布し、差出人印字欄３１の内容を視認不可能に塗抹する。
【００３２】
ステップＳ６において個人情報が印字されていないと判断されれば、ステップＳ８において、特記欄３３に任意の警告表示たとえば「ＲＦＩＤ不良」と印字部８により印字する。
なお、ＲＦＩＤインレット１４は、特記欄３３より下流側に位置しているので、ＲＦＩＤ用紙２全体を上流側に逆移送（バックフィード）することなく、ＲＦＩＤ用紙２を移送路４に順移送のままで印字速度を低下させることなく、「ＲＦＩＤ不良」の印字を行うことができる。
もちろん、必要であればＲＦＩＤ用紙２を上流側に逆移送し、図７に仮想線で示すように、印字部８によりＲＦＩＤ用紙２の表面全体に「ＲＦＩＤ不良」の文字を大きく印字することもできる。
【００３３】
かくして、所定内容の管理情報をＲＦＩＤ用紙２に印字するとともに、ＲＦＩＤ用紙２のＲＦＩＤインレット１４にデータとして書き込むにあたり、ＲＦＩＤインレット１４が不良の場合には、その状態を把握するとともに、個人情報があれば、これを適正に隠蔽してその保護を行うことができる。
【符号の説明】
【００３４】
１  ＲＦＩＤ用紙の印字装置（実施例、図１）
２  ＲＦＩＤ用紙
３  供給部
４  移送路
５  ガイドローラー
６  位置検出用センサー
７  リーダーライター（ＲＦＩＤモジュール）
８  印字部
９  個人情報印字塗抹部
１０  制御部
１１  ラベル基材
１２  粘着剤層
１３  台紙
１４  ＲＦＩＤインレット
１５  基材フィルム
１６  ＩＣチップ
１７  アンテナ
１８  位置検出用マーク
１９  サーマルヘッド
２０  プラテンローラー
２１  熱転写リボン
２２  供給軸
２３  巻取り軸
２４  ベースローラー
２５  一対の塗抹用のインキローラー
２６  プリンターハウジング
２７  引っ張りスプリング
２８  シリンダー
２９  フラグ欄（図３、図４）
３０  配送先印字欄
３１  差出人印字欄
３１Ａ  差出人印字欄３１の個人情報欄（図５）
３２  内容印字欄
３３  特記欄
【図１】
2010231558.tif 000003
【図２】
2010231558.tif 000004
【図３】
2010231558.tif 000005
【図４】
2010231558.tif 000006
【図５】
2010231558.tif 000007
【図６】
2010231558.tif 000008
【図７】
2010231558.tif 000009
【図８】
2010231558.tif 000010